(57)【要約】【課題】本発明は収納容積が小さくなったり、全体が大きくなることなく、断熱を図ることができるとともに、断熱層が損傷しずらくかつあらかじめ設定された温度で保冷することができ、かつ炭酸ガスや水の発生を阻止することができる冷凍ボックスを得るにある。【解決手段】開閉扉あるいは開閉蓋で密閉状態にすることができるボックス本体と、このボックス本体の内壁、外壁のいずれか一方、あるいは両方に塗布された断熱塗料の断熱塗料層と、前記ボックス本体内に収納される水を吸わせてあらかじめ必要な温度に設定された冷凍庫に入れると該設定温度に冷やされた保冷剤とで冷凍ボックスを構成している。【選択図】  図６
2006214669.tif 000002
【特許請求の範囲】
【請求項１】
開閉扉あるいは開閉蓋で密閉状態にすることができるボックス本体と、このボックス本体の内壁、外壁のいずれか一方、あるいは両方に塗布された断熱塗料の断熱塗料層と、前記ボックス本体内に収納される水を吸わせてあらかじめ必要な温度に設定された冷凍庫に入れると該設定温度に冷やされた保冷剤とからなることを特徴とする冷凍ボックス。
【請求項２】
開閉扉あるいは開閉蓋で密閉状態にすることができるボックス本体と、このボックス本体の内壁、外壁のいずれか一方、あるいは両方の全面に塗布されたＣＥＲＡＭＩＣ  ＣＲＥＡＴＩＯＮ  ＣＣ２００（登録商標）の断熱塗料層と、前記ボックス本体内に収納される水を吸わせてあらかじめ必要な温度に設定された冷凍庫に入れると、該設定温度に冷やされるＴＥＣＨＮｉｉＣＥ（商標登録）の保冷剤とからなることを特徴とする冷凍ボックス。
【請求項３】
ボックス本体は冷凍ボックス、発泡スチロール製の保冷ボックス、マグロ等を収納する保冷ボックスや棺桶であることを特徴とする請求項１、２いずれかに記載の冷凍ボックス。
【請求項４】
開閉扉あるいは開閉蓋で密閉状態にすることができるボックス本体と、このボックス本体の内壁、外壁のいずれか一方、あるいは両方の全面に塗布されたＣＥＲＡＭＩＣ  ＣＲＥＡＴＩＯＮ  ＣＣ２００（登録商標）の断熱塗料層とからなることを特徴とする冷凍ボックス。
【発明の詳細な説明】
【技術分野】
【０００１】
本発明は冷凍庫の冷凍ボックス、クーラーボックス、発泡スチロールの保冷ボックス、マグロの輸送用のボックスや棺桶等の冷凍ボックスに関する。
【背景技術】
【０００２】
従来の冷凍庫の冷凍ボックスは、冷凍ボックス本体の断熱を図るため、内壁面と外壁面に断熱シートを貼着固定している。
【０００３】
しかしながら、この断熱シートは厚肉のものを使用しなければ断熱効果が得られないため、収納容積が小さくなったり、全体が大きくなったりする欠点があるとともに、断熱シートが損傷しやすいという欠点があった。
また、保冷剤でボックス本体内を保冷することも考えられているが、炭酸ガスや水分が出てしまうという欠点があった。
【特許文献１】特になし
【発明の開示】
【発明が解決しようとする課題】
【０００４】
本発明は以上のような従来の欠点に鑑み、収納容積が小さくなったり、全体が大きくなることなく、断熱を図ることができるとともに、断熱層が損傷しずらくかつあらかじめ設定された温度で保冷することができ、かつ炭酸ガスや水の発生を阻止することができる冷凍ボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は開閉扉あるいは開閉蓋で密閉状態にすることができるボックス本体と、このボックス本体の内壁、外壁のいずれか一方、あるいは両方に塗布された断熱塗料の断熱塗料層と、前記ボックス本体内に収納される水を吸わせてあらかじめ必要な温度に設定された冷凍庫に入れると該設定温度に冷やされた保冷剤とで冷凍ボックスを構成している。
【発明の効果】
【０００７】
以下の説明から明らかなように、本発明にあっては次に列挙する効果が得られる。
【０００８】
（１）開閉扉あるいは開閉蓋で密閉状態にすることができるボックス本体と、このボックス本体の内壁、外壁のいずれか一方、あるいは両方に塗布された断熱塗料の断熱塗料層と、前記ボックス本体内に収納される水を吸わせてあらかじめ必要な温度に設定された冷凍庫に入れると該設定温度に冷やされた保冷剤とで構成されているので、断熱塗料の断熱塗料層でボックス本体の断熱を図ることができる。  
したがって、断熱シートを用いるものに比べ、収納容積が小さくなったり、全体が大きくなったりするのを効率よく防止することができる。
【０００９】
（２）前記（１）によって、断熱塗料で断熱塗料層を形成しているので、ボックス本体と断熱塗料層とを一体化することができる。
したがって、断熱シートに比べ、断熱塗料層が損傷したりするのを効率よく阻止することができる。
【００１０】
（３）前記（１）によって、水を吸わせてあらかじめ必要な温度に設定された冷凍庫に入れて、該設定温度に冷やされた保冷剤を使用するので、ボックス本体内に収納しても、効率よく保冷することができるとともに、保冷剤から炭酸ガスや水分が出たりするのを防止することができ、これらを嫌う分野の保冷に使用することができる。
【００１１】
（４）請求項２も前記（１）〜（３）と同様な効果が得られる。
【００１２】
（５）請求項３も前記（１）、（２）と同様な効果が得られる。
【００１３】
（６）請求項４も前記（１）〜（３）と同様な効果が得られる。
【発明を実施するための最良の形態】
【００１４】
以下、図面に示す本発明を実施するための最良の形態により、本発明を詳細に説明する。
【００１５】
図１ないし図８に示す本発明を実施するための最良の第１の形態において、１は魚、肉、野菜等の冷凍加工する物２を急速冷凍加工して保冷庫(図示せず)で保存させるための加工冷凍庫で、この加工冷凍庫１は本発明のＣＥＲＡＭＩＣ  ＣＲＥＡＴＩＯＮ  ＣＣ２００（登録商標）の断熱塗料３を内壁および外壁の全面に塗布して断熱塗料層４、４で断熱処理されたボックス本体５、外部から出入を行なうドア６を設けた作業室７および外部からの出入を行なうドア８を設けた冷凍ユニット収納室９が形成されたコンテナー状の冷凍ボックス１０と、この冷凍ボックス１０のボックス本体５内の反作業室７側の、一方の側面寄りに床面から天井面に位置するように設置されたファン１１、１１を備えるエバポレータ１２と、前記ボックス本体５と作業室７とを仕切る仕切壁１３の開口部１４を開閉する開閉扉１５と、この開閉扉１５寄りの前記ボックス本体５内に開閉可能に取付けられた、冷風を弧状にガイドする開閉可能なカーテン状の冷風ガイド部材１６と、前記冷凍ユニット収納室９内に設置された吸引側が、前記エバポレータ１２の吐出側に戻り管１７を介して接続されたコンプレッサー１８、このコンプレッサー１８の吐出側に吸引側が接続されたコンデンサー１９、このコンデンサー１９の吐出側に吸引側が接続され、吐出側が前記エバポレータ１２の吸引側に制御装置２０を設けた冷媒供給管２１を介して接続された熱交換タンク２２とからなる冷凍ユニット２３と、前記冷凍ユニット収納室９を吸・排気するカートリッヂ式フィルター２４、２４を用いた吸・排気口２５、２６と、前記エバポレータ１２の吹出口１２ａからの冷風を、該吹出口１２ａの開口部の大きさとほぼ同じ大きさで、前記開閉扉１５近傍である冷風ガイド部材１６の近傍へガイドすることができる、凍結室２７となる内部に冷凍加工する物２を収納することができる、前記ボックス本体５に設けた風道ガイド筒２８とで構成されている。
【００１６】
前記風道ガイド筒２８は、本例では前記冷凍ボックス１０の底面、天井面および一方の側面を利用して、該冷凍ボックス１０のほぼ中央部の床面と天井面間と、前記エバポレータ１２の吹出口１２ａとの間を覆う仕切板２９を用いて構成している。
【００１７】
上記構成の冷凍ボックス１０は内壁および外壁の全面に断熱塗料を塗布して断熱塗料層４、４を形成したボックス本体５を用いているので、従来の断熱シートを用いるものと比べ、断熱塗料層４、４の厚さを薄くすることができるとともに、断熱塗料層４、４がはがれずらく、強固に形成することができる。
【００１８】
また、このような冷凍ボックス１０を用いた加工冷凍庫１は、作業室７内から冷凍加工する物２を開閉扉１５および冷風ガイド部材１６を開放して、風道ガイド筒２８内の凍結室２７に位置させ、冷風ガイド部材１６および開閉扉１５を閉じる。
この状態で、冷凍ユニット２３を作動させるとともに、エバポレータ１２のファン１１、１１を駆動させると、エバポレータ１２の吹出口１２ａから冷風が風道ガイド筒２８内へ吹き出され、該風道ガイド筒２８内の冷凍加工する物２を直接冷凍するとともに、風道ガイド筒２８を出た冷風は冷風ガイド部材２８に沿って回動し、ボックス本体５の反開閉扉１５側へ導かれ、ファン１１、１１へ効率よく供給される。
このため、エバポレータ１２からの冷風がボックス本体５内の冷気に触れることなく、直接風道ガイド筒２８の凍結室２７内の冷凍加工する物２に吹き付けられるため、冷凍までの立ち上げ時間が短く、急速冷凍することができる。
［発明を実施するための異なる形態］
【００１９】
次に、図９ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図９ないし図１１に示す本発明を実施するための第２の形態において、前記本発明を実施するための最良の第１の形態と主に異なる点は、クーラーボックスとして使用する合成樹脂材製の開閉蓋３０およびボックス本体３１の内壁と外壁とに、断熱塗料３を塗布して形成した断熱塗料層４、４、４、４を形成するとともに、ボックス本体３１内に収納される水を吸わせてあらかじめ必要な温度に設定された、冷凍庫に入れると該設定温度に冷やされるＴＥＣＨＮｉｉｃＥ（登録商標）の保冷剤３２とを用いた点で、このように保冷剤３２を用いた冷凍ボックス１０Ａにしても、前記本発明を実施するための最良の第１の形態と同様な作用効果が得られるとともに、水分を吸収する保冷剤３２によって炭酸ガスが発生したり、水分が発生したりするのを防止でき、保冷物が変色したりする品質の低下を効率よく防止することができる。
【００２１】
図１２ないし図１４に示す本発明を実施するための第３の形態において、前記本発明を実施するための第２の形態と主に異なる点は、発泡スチロール製の開閉蓋３０Ａを備えるボックス本体３１Ａを用いた点で、このように形成された冷凍ボックス１０Ｂにしても、前記本発明を実施するための第２の形態と同様な作用効果が得られる。
【００２２】
図１５ないし図１７に示す本発明を実施するための第４の形態において、前記本発明を実施するための第２の形態と主に異なる点は、生マグロを収納する木材製の開閉蓋３０Ｂを備えるボックス本体３１Ｂを用いた点で、このように形成された冷凍ボックス１０Ｃにしても、前記本発明を実施するための第２の形態と同様な作用効果が得られるとともに、氷の代りの保冷剤３２は水分を吸収するため、水漏れ等の不具合を解消することができる。
【００２３】
図１８ないし図２０に示す本発明を実施するための第５の形態において、前記本発明を実施するための第４の形態と主に異なる点は、棺桶として使用できる開閉蓋３０Ｃを備えるボックス本体３１Ｃを用いた点で、このように形成された棺桶として使用する保冷ボックス１０Ｄにしても、前記本発明を実施するための第４の形態と同様な作用効果が得られるとともに、保冷剤３２によって、従来のドライアイスを用いるもののように炭酸ガスが出る等の不具合を解消することができる。
【００２４】
なお、前記本発明を実施するための第２の形態〜第５の形態では、内壁と外壁とに断熱塗料層を形成するものについて説明したが、本発明はこれに限らず、内壁、外壁のいずれか一方にだけ断熱塗料層を形成してもよい。
【産業上の利用可能性】
【００２５】
本発明は冷凍ボックスを製造する産業で利用される。
【図面の簡単な説明】
【００２６】
【図１】本発明を実施するための最良の第１の形態の使用状態の平面図。
【図２】本発明を実施するための最良の第１の形態の正面図。
【図３】本発明を実施するための最良の第１の形態の側面図。
【図４】図１の４−４線に沿う断面図。
【図５】図２の５−５線に沿う断面図。
【図６】本発明を実施するための最良の第１の形態のボックス本体の説明図。
【図７】本発明を実施するための最良の第１の形態の冷凍ユニットの説明図、
【図８】本発明を実施するための最良の第１の形態の冷凍加工時の説明図。
【図９】本発明を実施するための第２の形態の斜視図。
【図１０】図９の１０−１０線に沿う断面図。
【図１１】本発明を実施するための第２の形態の使用状態の説明図。
【図１２】本発明を実施するための第３の形態の斜視図。
【図１３】図１２の１３−１３線に沿う断面図。
【図１４】本発明を実施するための第３の形態の使用状態の説明図。
【図１５】本発明を実施するための第４の形態の斜視図。
【図１６】図１５の１６−１６線に沿う断面図。
【図１７】本発明を実施するための第４の形態の使用状態の説明図。
【図１８】本発明を実施するための第５の形態の斜視図。
【図１９】図１８の１９−１９線に沿う断面図。
【図２０】本発明を実施するための第５の形態の使用状態の説明図。
【符号の説明】
【００２７】
１：加工冷凍庫、              ２：冷凍加工する物、
３：断熱塗料、                ４：断熱塗料層、
５：ボックス本体、                  ６：ドア、
７：作業室、                        ８：ドア、
９：冷凍ユニット収納室、
１０、１０Ａ、１０Ｂ、１０Ｃ、１０Ｄ：冷凍ボックス、
１１：ファン、                １２：エバポレータ、
１３：仕切壁、                １４：開口部、
１５：開閉扉、                １６：冷風ガイド部材、
１７：戻り管、                １８：コンプレッサー、
１９：コンデンサー、          ２０：制御装置、
２１：冷媒供給管、                  ２２：熱交換タンク、
２３：冷凍ユニット、          ２４：カートリッヂ式フィルター、
２５：吸気口、                ２６：排気口、
２７：凍結室、                ２８：風道ガイド筒、
２９：仕切板、
３０、３０Ａ、３０Ｂ、３０Ｃ：開閉蓋、
３１、３１Ａ、３１Ｂ、３１Ｃ：ボックス本体、
３２：保冷剤。
【図１】
2006214669.tif 000003
【図２】
2006214669.tif 000004
【図３】
2006214669.tif 000005
【図４】
2006214669.tif 000006
【図５】
2006214669.tif 000007
【図６】
2006214669.tif 000008
【図７】
2006214669.tif 000009
【図８】
2006214669.tif 000010
【図９】
2006214669.tif 000011
【図１０】
2006214669.tif 000012
【図１１】
2006214669.tif 000013
【図１２】
2006214669.tif 000014
【図１３】
2006214669.tif 000015
【図１４】
2006214669.tif 000016
【図１５】
2006214669.tif 000017
【図１６】
2006214669.tif 000018
【図１７】
2006214669.tif 000019
【図１８】
2006214669.tif 000020
【図１９】
2006214669.tif 000021
【図２０】
2006214669.tif 000022